(57)【要約】      （修正有）【課題】過去の骨塩量の計測結果との比較を行うに際し、骨塩量の計測に用いられる放射線画像から、計測対象となる骨における計測領域を、安定して再現性良く特定できるようにする。【解決手段】選択部が、計測対象画像Ｇ０に関して、複数の被写体についての放射線画像および計測対象となる骨の特徴点の位置を対応づけて保存した記憶部から、計測対象画像Ｇ０の被写体と同一の被写体についての過去の放射線画像および特徴点の位置の組をモデルとして選択する。特徴点検出部が、計測対象画像Ｇ０とモデルとの対応関係を求め、対応関係およびモデルに含まれる特徴点の位置に基づいて、計測対象画像Ｇ０における特徴点を検出する。【選択図】図２
2014054476.tif 000002
【特許請求の範囲】
【請求項１】
骨部を撮影した放射線画像に基づいて、該骨部の骨塩量を計測する骨塩量計測装置において、
前記放射線画像において計測対象の骨を特定する骨特定手段と、
該骨における特徴点を検出する特徴点検出手段と、
該特徴点に基づいて前記骨における計測領域を特定する計測領域特定手段と、
計測対象となる前記放射線画像に関して、複数の被写体についての前記放射線画像および前記特徴点の位置を対応づけて保存する保存手段から、前記計測対象となる放射線画像に含まれる被写体と同一の被写体についての、過去の放射線画像および特徴点の位置の組をモデルとして選択する選択手段とを備え、
前記特徴点検出手段は、前記計測対象の放射線画像と前記モデルとの対応関係を求め、該対応関係および前記モデルに含まれる前記特徴点の位置に基づいて、前記計測対象の放射線画像における前記特徴点を検出する手段であることを特徴とする骨塩量計測装置。
【請求項２】
前記選択手段は、前記計測対象の放射線画像に含まれる被写体と同一被写体の過去の放射線画像および特徴点の位置の組のうち、最新の放射線画像および特徴点の位置の組をモデルとして選択する手段であることを特徴とする請求項１記載の骨塩量計測装置。
【請求項３】
前記選択手段は、前記計測対象の放射線画像に含まれる被写体と同一被写体の過去の放射線画像および特徴点の位置の組のうち、前記計測対象の放射線画像と最も類似する放射線画像および特徴点の位置の組をモデルとして選択する手段であることを特徴とする請求項１記載の骨塩量計測装置。
【請求項４】
前記選択手段は、前記計測対象の放射線画像に含まれる被写体と同一被写体の過去の放射線画像および特徴点の組が前記保存手段に保存されていない場合、前記計測対象の放射線画像に含まれる被写体と異なる被写体の過去の放射線画像のうち、前記計測対象の放射線画像と最も類似する放射線画像および特徴点の位置の組をモデルとして選択する手段であることを特徴とする請求項１から３のいずれか１項記載の骨塩量計測装置。
【請求項５】
前記選択手段は、前記計測対象の放射線画像に含まれる被写体と同一被写体の過去の放射線画像および特徴点の組が前記保存手段に保存されていない場合、あらかじめ定められた標準的なモデルを選択する手段であることを特徴とする請求項１から３のいずれか１項記載の骨塩量計測装置。
【請求項６】
手が撮影された放射線画像において、前記骨特定手段は、左手の第２中手骨を前記計測対象の骨として特定する手段であり、
前記特徴点検出手段は、前記第２中手骨の両端の点を特徴点として検出する手段であり、
前記計測領域特定手段は、前記特徴点に基づいて、前記第２中手骨の長さ方向の中央部分にある、該第２中手骨の長さの１／１０に相当する領域を前記計測領域として特定する手段であることを特徴とする請求項１から５のいずれか１項記載の骨塩量計測装置。
【請求項７】
前記特徴点を、前記計測対象となる骨の放射線画像とともに表示する表示手段をさらに備えたことを特徴とする請求項１から６のいずれか１項記載の骨塩量計測装置。
【請求項８】
骨部を撮影した放射線画像に基づいて、該骨部の骨塩量を計測する骨塩量計測方法において、
前記放射線画像において計測対象の骨を特定し、該骨における特徴点を検出し、該特徴点に基づいて前記骨における計測領域を特定するに際し、
計測対象となる前記放射線画像に関して、複数の被写体についての前記放射線画像および前記特徴点の位置を対応づけて保存する保存手段から、前記計測対象となる放射線画像に含まれる被写体と同一の被写体についての、過去の放射線画像および特徴点の位置の組をモデルとして選択し、
前記計測対象の放射線画像と前記モデルとの対応関係を求め、該対応関係および前記モデルに含まれる前記特徴点の位置に基づいて、前記計測対象の放射線画像における前記特徴点を検出することを特徴とする骨塩量計測方法。
【発明の詳細な説明】
【技術分野】
【０００１】
本発明は骨塩量計測装置および方法に関し、とくに骨部を撮影した放射線画像を利用して骨塩量の計測を行う装置および方法に関するものである。
【背景技術】
【０００２】
従来、骨粗鬆症の診断等のために、骨部を撮影した放射線画像を利用して、骨塩量を計測する方法が知られている。このような骨塩量を計測する方法の中で、比較的簡便に実施可能な方法の１つとして、ＭＤ（Microdensitometry）法が知られている。ＭＤ法は基本的に、放射線管球から発生させた放射線を、計測対象の骨部と、放射線透過特性が互いに異なる複数の部分を有する標準物質とに同時に照射し、骨部および標準物質を透過した放射線をＸ線フィルム等の放射線検出体で検出して骨部および標準物質を示す放射線画像を得、この放射線画像において、計測対象の骨部と同じ濃度を示す標準物質の部分の放射線透過特性に基づいて骨部の骨塩量を求めるものである。
【０００３】
ここで、標準物質としては一般に、厚さが連続的に変化するアルミスケールが用いられる。このようなアルミスケールを用いる場合、放射線透過特性に対応するアルミスケールの厚さを、骨塩量を示す指標として定義することが多い。
【０００４】
また、ＭＤ法の中でも、放射線検出体として、とくに放射線画像を表すデジタル画像信号を得ることができるものを使用し、そのデジタル画像信号を処理して骨塩量を求めるようにしたＤＩＰ（Digital Image Processing）法が広く知られている（例えば特許文献１、２および３参照）。ＤＩＰ法による骨塩量の計測は、操作が簡単で短時間に実行できることから広く普及しつつある。
【０００５】
ＤＩＰ法のように放射線画像を用いる骨塩量の計測においては、計測結果に一般性を持たせて、他の計測結果と比較したり、骨粗鬆症等の診断のために蓄積されている、過去の計測結果と比較することが行われている（特許文献４，５参照）。このように過去の計測結果と比較するために、骨塩量の計測は、一定の骨の一定の部位が計測対象として定められる。一般にこの部位は、左手の第２中手骨、すなわち人差し指の中手骨の所定範囲（例えば第２中手骨の長さ方向中央位置にある、骨全長の１／１０の長さに亘る範囲）とされる場合が多い。また、左手に限らず、右手の第２中手骨の所定範囲とすることも考えられている。
【０００６】
このように、左手あるいは右手の第２中手骨の所定範囲を計測領域として骨塩量の計測を行うには、まず、放射線画像においてその計測領域を特定する必要がある。このために従来は、計測装置の使用者が例えばモニタに表示されている放射線画像上で計測対象部位の端部等をマウスの操作等によって指定し、その指定入力に基づいて計測領域を特定することが多く行われている。
【先行技術文献】
【特許文献】
【０００７】
【特許文献１】特開２００６−３３４０４６号公報
【特許文献２】再表２００８−０４４４３９号
【特許文献３】特開２０１０−２００８２４号公報
【特許文献４】特開２０１１−１６７３８８号公報
【特許文献５】特開２００８−２００１１４号公報
【発明の概要】
【発明が解決しようとする課題】
【０００８】
しかしながら、このように装置使用者のマニュアル操作によって計測領域を特定する場合は、特定の操作が使用者が気付かないまま多少不正確になされたり、ばらつきを持って行われることがある。このため、本来計測対象とすべき部位とは多少異なる部位について骨塩量の計測がなされてしまうことがあり、このようにして取得された計測結果を、過去の計測結果と比較して診断するような場合は、誤った診断が下される可能性がある。
【０００９】
本発明は上記事情に鑑みなされたものであり、とくに過去の骨塩量の計測結果との比較を行うに際し、骨塩量の計測に用いられる放射線画像から、計測対象となる骨の中の計測領域を、安定して再現性良く特定できるようにすることを目的とする。
【課題を解決するための手段】
【００１０】
本発明による骨塩量計測装置は、骨部を撮影した放射線画像に基づいて、骨部の骨塩量を計測する骨塩量計測装置において、
放射線画像において計測対象の骨を特定する骨特定手段と、
骨における特徴点を検出する特徴点検出手段と、
特徴点に基づいて骨における計測領域を特定する計測領域特定手段と、
計測対象となる放射線画像に関して、複数の被写体についての放射線画像および特徴点の位置を対応づけて保存する保存手段から、計測対象となる放射線画像に含まれる被写体と同一の被写体についての、過去の放射線画像および特徴点の位置の組をモデルとして選択する選択手段とを備え、
特徴点検出手段は、計測対象の放射線画像とモデルとの対応関係を求め、対応関係およびモデルに含まれる特徴点の位置に基づいて、計測対象の放射線画像における特徴点を検出する手段であることを特徴とするものである。
【００１１】
なお、本発明による骨塩量計測装置においては、選択手段を、計測対象の放射線画像に含まれる被写体と同一被写体の過去の放射線画像および特徴点の位置の組のうち、最新の放射線画像および特徴点の位置の組をモデルとして選択する手段としてもよい。
【００１２】
また、本発明による骨塩量計測装置においては、選択手段を、計測対象の放射線画像に含まれる被写体と同一被写体の過去の放射線画像および特徴点の位置の組のうち、計測対象の放射線画像と最も類似する放射線画像および特徴点の位置の組をモデルとして選択する手段としてもよい。
【００１３】
また、本発明による骨塩量計測装置においては、選択手段を、計測対象の放射線画像に含まれる被写体と同一被写体の過去の放射線画像および特徴点の組が保存手段に保存されていない場合、計測対象の放射線画像に含まれる被写体と異なる被写体の過去の放射線画像のうち、計測対象の放射線画像と最も類似する放射線画像および特徴点の位置の組をモデルとして選択する手段としてもよい。
【００１４】
また、本発明による骨塩量計測装置においては、選択手段を、計測対象の放射線画像に含まれる被写体と同一被写体の過去の放射線画像および特徴点の組が保存手段に保存されていない場合、あらかじめ定められた標準的なモデルを選択する手段としてもよい。
【００１５】
また、本発明による骨塩量計測装置においては、手が撮影された放射線画像において、骨特定手段を、左手の第２中手骨を計測対象の骨として特定する手段とし、
特徴点検出手段を、第２中手骨の両端の点を特徴点として検出する手段とし、
計測領域特定手段を、特徴点に基づいて、第２中手骨の長さ方向の中央部分にある、第２中手骨の長さの１／１０に相当する領域を計測領域として特定する手段としてもよい。
【００１６】
また、本発明による骨塩量計測装置においては、特徴点を、計測対象となる骨の放射線画像とともに表示する表示手段をさらに備えるものとしてもよい。
【００１７】
本発明による骨塩量計測方法は、骨部を撮影した放射線画像に基づいて、骨部の骨塩量を計測する骨塩量計測方法において、
放射線画像において計測対象の骨を特定し、骨における特徴点を検出し、特徴点に基づいて骨における計測領域を特定するに際し、
計測対象となる放射線画像に関して、複数の被写体についての放射線画像および特徴点の位置を対応づけて保存する保存手段から、計測対象となる放射線画像に含まれる被写体と同一の被写体についての、過去の放射線画像および特徴点の位置の組をモデルとして選択し、
計測対象の放射線画像とモデルとの対応関係を求め、対応関係およびモデルに含まれる特徴点の位置に基づいて、計測対象の放射線画像における特徴点を検出することを特徴とするものである。
【発明の効果】
【００１８】
本発明によれば、計測対象放射線画像に含まれる被写体と同一の被写体についての過去の放射線画像および特徴点の位置の組がモデルとして選択され、計測対象放射線画像とモデルとの対応関係が求められ、この対応関係およびモデルに含まれる特徴点の位置に基づいて、計測対象放射線画像における特徴点が検出される。このように、本発明によれば、計測対象の放射線画像に含まれる被写体と同一被写体のモデルを用いて特徴点を検出するようにしたため、過去の計測時と略同一の特徴点を検出でき、その結果、略同一の計測領域を再現性よく安定して特定できることとなる。したがって、同一被写体についての骨塩量の経時変化を診断するに際し、診断の精度を向上させることができる。
【図面の簡単な説明】
【００１９】
【図１】本発明の実施形態による骨塩量計測装置を備えた骨塩量計測システムの概略構成を示す図
【図２】骨塩量計測用に撮影された放射線画像の例を示す概略図
【図３】骨塩量計測のために放射線画像が抽出される計測領域を説明する図
【図４】計測領域における放射線画像の濃度プロファイルの例を示す図
【図５】部位抽出部の構成を示す概略ブロック図
【図６】部位抽出部において行われる計測領域を特定する処理のフローチャート
【図７】第１の計測領域特定処理のフローチャート
【図８】第２の計測領域特定処理のフローチャート
【図９】計測済み画像からのモデルとなる領域の切り出しを説明するための図
【発明を実施するための形態】
【００２０】
以下、本発明の実施形態について図面を参照して詳細に説明する。図１は、本発明の実施形態による骨塩量計測装置を備えた骨塩量計測システムの概略構成を示す図である。本実施形態による骨塩量計測システムは、上述したＤＩＰ法により骨塩量の計測を行うものであり、図１に示すように、骨塩量計測対象の骨部を含む被写体を撮影することにより、被写体の放射線画像Ｇ０を取得する撮影装置１０と、放射線画像Ｇ０に基づいて骨塩量を求める、本実施形態の骨塩量計測装置を備えた信号処理部２０と、信号処理部２０に各種指示を与えるための入力部３０と、骨塩量計測結果等を表示する表示部４０とから構成されている。
【００２１】
撮影装置１０は、被写体Ｈに放射線Ｒを照射する放射線管球１２、放射線管球１２の駆動を制御する撮影制御部１３および被写体Ｈが載置される撮影台１４を備える。撮影台１４には、被写体Ｈの放射線検出信号を出力する放射線検出器１１が設けられている。放射線検出器１１は、マトリクス状に配置された画素毎に照射放射線のエネルギーレベルに対応した放射線検出信号を出力するものであり、この検出信号はＡ／Ｄ変換処理され、被写体Ｈの放射線画像Ｇ０を表すデジタル画像信号として出力される。
【００２２】
なお、放射線検出器１１としては、例えば特開平７−７２２５３号公報に記載されているように、放射線の照射を受けて可視光を発するシンチレータと、その可視光を検出する固体光検出素子とが積層されてなるもの、あるいは例えば特開２０１０−２０６０６７号公報に記載されているように、放射線の照射を受けてそのエネルギーに対応した電気信号を出力する放射線光導電層を有してなるものを適用することができる。
【００２３】
信号処理部２０は、放射線画像Ｇ０を表すデジタル画像信号が入力される前処理部２１、その後段に順次接続された部位抽出部２２、濃度分析部２３、骨塩量計測部２４および表示制御部２５を備える。さらに信号処理部２０は、各種情報を保存する記憶部２６を備える。
【００２４】
入力部３０は、例えばキーボード３１およびマウス３２等からなるものであり、使用者による各種指示を信号処理部２０に入力する。
【００２５】
表示部４０は、例えば液晶ディスプレイやＣＲＴディスプレイ等からなるものであり、骨塩量計測の結果や、撮影された被写体の放射線画像を必要に応じて表示する。
【００２６】
以上述べた信号処理部２０、入力部３０および表示部４０は、例えば一般的なパーソナルコンピュータ等のコンピュータシステムから構成することができる。
【００２７】
次いで、図２を参照して、骨塩量計測のための放射線画像の撮影について説明する。放射線画像の撮影に際しては、放射線検出器１１が撮影装置１０の撮影台１４の上に載置され、その上に被写体である被検者の左手および右手が置かれ、またそれら両手の間に標準物質としてのアルミスケールが置かれる。このアルミスケールは厚さが連続的に変化するアルミニウム製の板状部材である。なお、この種のアルミスケールに代えて、厚さが段階的に変化するアルミニウム製の板状部材を用いてもよい。
【００２８】
この状態で撮影制御部１３が操作されることにより放射線管球１２が駆動されて、放射線Ｒが左手および右手、並びにアルミスケールを透過して放射線検出器１１に照射される。なお、ＤＩＰ法においては通常、放射線管球１２は管電圧を５０ｋＶとして撮影を行うようにしており、本実施形態においても撮影制御部１３により、管電圧は５０ｋＶに設定される。ただし、実効管電圧は経時により低下する傾向があるため、上述のように設定しても実効管電圧が５０ｋＶにならないこともある。このため本実施形態では、後述するように計測誤差が生じることを防止するようにしている。
【００２９】
撮影が終了すると、放射線検出器１１から放射線画像Ｇ０を表すデジタル画像信号が取得される。この放射線画像Ｇ０は表示部４０において再生表示可能であり、表示した場合の放射線画像は、図２に示すようなものとなる。図２に示すように、表示された放射線画像Ｇ０には、被写体である被検者の左手ＬＨ、右手ＲＨおよびアルミスケールＡＳが記録されている。なお、アルミスケールＡＳは、放射線検出器１１上において、左手ＬＨおよび右手ＲＨの指先方向（図２中で上方）に行くに従って次第に薄くなる状態にしてセットされる。
【００３０】
放射線画像Ｇ０は、信号処理部２０の前処理部２１に入力される。また撮影装置１０において撮影がなされたとき、撮影制御部１３からは撮影装置１０を示す識別情報、管電圧の情報、放射線検出器１１を示す識別情報、撮影順番を示す情報、および被写体ＩＤ等を含む撮影情報Ｓｃが、信号処理部２０の前処理部２１、部位抽出部２２および骨塩量計測部２４に入力される。
【００３１】
次いで、信号処理部２０が行う処理について説明する。信号処理部２０に入力された放射線画像Ｇ０は、まず前処理部２１において、放射線の照射ムラおよび放射線検出器１１の検出ムラ等に起因する信号値の変動を補正する処理、並びに必要に応じて適宜なされるその他の処理を受け、部位抽出部２２に入力される。なお、放射線検出器１１の特定は、撮影情報Ｓｃに含まれる放射線検出器１１を示す識別情報に基づいて行われる。
【００３２】
部位抽出部２２は、放射線画像Ｇ０の中から、画像処理により自動的に、あるいは入力部３０による指示に基づいて、骨塩量計測を行う部位を特定する。ＤＩＰ法においては通常、図２に示す左手第２中手骨Ｂ２Ｌについて骨塩量計測を行うようにしているため、本実施形態においても左手の第２中手骨Ｂ２Ｌが特定される。より詳細には、この左手第２中手骨Ｂ２Ｌの全長の中央部分にあるｈ／１０の計測領域（図３にハッチングを付して示す領域）が特定される。なお、本実施形態においては自動で計測領域を特定するものとするが、この計測領域の特定の処理については後述する。
【００３３】
次に濃度分析部２３は、計測領域の平均的な濃度を求める。より具体的には、濃度分析部２３は、計測領域において左手第２中手骨Ｂ２Ｌを横切る方向の濃度プロファイルを求める。この濃度プロファイルは、濃度に代えて輝度を用いて示すと、図４に曲線Ｑで示すようなものとなる。なお、図４に示すＤが骨幅になる。このような濃度プロファイルは、まず計測領域において骨の長さ方向に亘って分布する例えば１０数箇所程度について求められ、次にそれらの平均的なプロファイルを演算することによって求められる。
【００３４】
平均的な濃度プロファイルにおける濃度は、そのままアルミスケールの厚さ（アルミ厚）に換算される。すなわち、放射線画像Ｇ０においてプロファイルの各点濃度と同じ濃度となるアルミスケール部分の厚さが求められ、そのアルミ厚換算値の積分値（図４における斜線部）ΣＧＳを骨幅Ｄで除した値ΣＧＳ／Ｄ［単位：ｍｍＡＬ（アルミニウム）］が、骨塩量を示すＤＩＰ値として算出される。ＤＩＰ値については、例えば日本骨代謝学会から性別および年齢層毎の基準値が公表されており、その基準値の１００〜８０％の範囲にあれば骨塩量は正常範囲にある、といった診断が下されるようになっている。
【００３５】
但し、上記のＤＩＰ値＝ΣＧＳ／Ｄは、撮影時の実効管電圧が５０ｋＶ以外になっていた場合は、同じ骨部を撮影しても、以上述べたようにして求められた場合とは異なる値を示すことがある。上述した基準値は、放射線検出器１１を使用し、管電圧を５０ｋＶに設定して放射線画像を撮影したときのＤＩＰ値に対して定められたものであるため、この基準値を適用して骨塩量に関する診断を下すのであれば、上述のように異なる値を示すＤＩＰ値を、管電圧を５０ｋＶに設定したときのＤＩＰ値に相当するように補正する必要がある。
【００３６】
骨塩量計測部２４は入力された放射線画像Ｇ０のデジタル画像信号からＤＩＰ値＝ΣＧＳ／Ｄを算出する。すなわち骨塩量計測部２４は、放射線画像Ｇ０が示す平均的な濃度プロファイル（図４のＱ）における濃度を、アルミスケールの厚さ（アルミ厚）に換算し、そのアルミ厚換算値の積分値ΣＧＳを骨幅Ｄで除した値ΣＧＳ／ＤをＤＩＰ値として算出する。また、必要であれば、撮影情報Ｓｃに含まれる管電圧に応じてＤＩＰ値を補正し、さらに撮影装置１０の識別情報に基づいて撮影装置１０の特性を求め、この特性に応じてＤＩＰ値を補正する。骨塩量計測部２４は、このように計測したＤＩＰ値＝ΣＧＳ／Ｄを示す情報を表示制御部２５に入力する。表示制御部２５はこのＤＩＰ値を表示部４０において表示させる。
【００３７】
以上のようにして表示部４０に表示されるＤＩＰ値に合わせて、基準値との比較に基づく診断結果の表示、例えば基準値に対する比率の表示や、「骨粗鬆症の心配はありません」等の表示を併せて行うようにしてもよい。
【００３８】
次いで、図３にハッチングを付して示した計測領域を特定する方法について説明する。図５は部位抽出部２２の構成を示す概略ブロック図である。
【００３９】
図５に示すように、部位抽出部２２は、計測対象となる骨の一例である第２中手骨を特定する骨特定部５０と、特定された第２中手骨における特徴点を検出する特徴点検出部５１と、特徴点に基づいて計測領域を特定する計測領域特定部５２とを備える。また、本実施形態においては、記憶部２６に現在までの計測結果が保存されている。計測結果は、計測した骨塩量の他、骨塩量を計測した計測済みの放射線画像（以下計測済み画像Ｇｆとする）および計測済み画像Ｇｆから検出した特徴点の位置の組を含む。また、記憶部２６には、後述するように特徴点を検出するための標準的なモデルが保存されている。計測済み画像Ｇｆおよび特徴点の組は、撮影情報Ｓｃに含まれる被写体ＩＤと対応づけられて記憶部２６に保存される。なお、記憶部２６に代えて、外部のデータベース等に計測結果を保存しておくようにしてもよい。この場合、信号処理部２０がデータベースにアクセスして計測結果を取得する。
【００４０】
さらに、本実施形態においては、計測対象の放射線画像（以下、放射線画像と同様の参照符号Ｇ０を用いて計測対象画像Ｇ０と称する）に関して、計測対象画像Ｇ０に含まれる被写体と同一被写体についての過去の放射線画像である計測済み画像Ｇｆおよび特徴点の組を、モデルとして記憶部２６から選択する選択部５３を備える。なお、選択部５３は、計測対象画像Ｇ０に含まれる被写体と同一の被写体の計測済み画像Ｇｆが記憶部２６に保存されているか否かを判定し、保存されていない場合は、後述する第１の計測領域特定処理を行うべく、標準的なモデルを選択する。一方、保存されている場合は、後述する第２の計測領域特定処理を行うべく、計測済み画像Ｇｆおよび特徴点の位置のモデルを選択する。
【００４１】
図６は部位抽出部２２において行われる計測領域を特定する処理のフローチャートである。部位抽出部２２に、前処理部２１において前処理が施された計測対象画像Ｇ０が入力されると、選択部５３が、撮影情報Ｓｃに含まれる被写体ＩＤに基づいて、計測対象画像Ｇ０に含まれる被写体と同一被写体の過去の放射線画像（すなわち計測済み画像Ｇｆ）が記憶部２６に保存されているか否かを判定する（ステップＳＴ１）。ステップＳＴ１が否定されると、部位抽出部２２は第１の計測領域特定処理を行う（ステップＳＴ２）。以下、第１の計測領域特定処理について説明する。
【００４２】
図７は第１の計測領域特定処理のフローチャートである。第１の計測領域特定処理においては、まず骨特定部５０が計測対象画像Ｇ０から左手を特定する（ステップＳＴ１１）。左手の特定は、図２の放射線画像Ｇ０に示されているようにアルミスケールＡＳはその切欠部ＣＣが左手ＬＨの方を向くように配置するという撮影時のルールにしたがって、画像処理により、アルミスケールＡＳの切欠部ＣＣに対向している方の手を左手として認識することによって行われる。
【００４３】
ここで、アルミスケールＡＳの存在位置および向きを認識する方法について、一例を挙げて説明する。例えば、アルミスケールＡＳの形状パターンを記憶部２６に記憶しておき、公知のパターン認識処理を適用すれば、アルミスケールＡＳの存在の有無、および存在が確認されたときの位置を認識することができる。また、アルミスケールＡＳの向き、すなわち切欠部ＣＣがどの方向を向いているかということは、切欠部ＣＣのパターンを含めた位置合わせの手法を適用するか、あるいは、アルミスケールＡＳの２つの長辺を探索して、その辺縁の合計長さがより長い方を切欠部ＣＣがある方の長辺とする、という手法を適用して特定することができる。
【００４４】
次いで、骨特定部５０は、特定された左手に含まれる複数の骨の中から、第２中手骨Ｂ２Ｌ（図２参照）を特定する（ステップＳＴ１２）。この特定は、アフィン変換等の線形的な位置合わせでテンプレート探索する手法、あるいはモーフィング等の非線形的な位置合わせ、とくに特開２０１１−２５５０６０号公報に記載されているような多重解像度位置合わせによるモデルフィッティングでテンプレート探索する手法等を適用して行うことができる。
【００４５】
上記の多重解像度位置合わせは従来公知の手法であるが、概要を説明すると下に述べる（１）〜（５）の手順によって行われる。
【００４６】
（１）まず、テンプレート画像（本実施形態での第１および第２中手骨が含まれる画像）と参照画像（本実施形態での計測対象画像Ｇ０における左手の画像）をそれぞれ複数の解像度に分解(ラプラシアンピラミッドやウェーブレット変換等)する。
【００４７】
（２）それぞれの解像度の画像に対して、画素探索しながら最大となる相互相関係数となる場所を選択することでシフトベクトルを求める。
【００４８】
（３）シフトベクトルを求めるときに、最も低解像度の(粗い)画像で相互相関等を用いてシフトベクトルを算出し、次に低い解像度画像は、最も低解像度の画像で用いたシフトベクトルの位置を初期値にして、同様に相互相関等により、次に低い解像度の画像に対するシフトベクトルを算出する。
【００４９】
（４）上記（１）〜（３）の処理を所定の解像度まで繰り返すことで、対象画像の全ての画素に対するシフトベクトルを算出する。
【００５０】
（５）さらに、各解像度で算出したシフトベクトルに基づき、変形対象となる各解像度画像(テンプレート画像か参照画像のどちらか一方）を変形して、再構成することで変形画像を得る。本実施形態においては、テンプレート画像を変形した方が、骨塩量計測の精度を確保する上でより都合がよい。なお別の方法として、（４）で最終的に求めたシフトベクトルで画像を変形させる方法もある。そのような方法としては、例えば下記参考文献に示されるように、最終的なシフトベクトルをまとめて変形するもの等が挙げられる。
【００５１】
《参考文献》
G. J. Gang, C. A. Varon, H. Kashani, S. Richard, N. S. Paul, R. Van Metter, J. Yorkston, J. H. Siewerdsen, "Multiscale deformable registration for dual-energy x-ray imaging," Medical Physics 36:351-363 (2009).
以上のように、第１および第２中手骨画像が含まれたテンプレート画像を、計測対象画像Ｇ０から抽出した左手の画像に対して探索し、テンプレートを変形して位置合わせすることにより、左手の画像における第１および第２中手骨の部分を特定できる。
【００５２】
次いで、特徴点検出部５１が、この第２中手骨Ｂ２Ｌにおける特徴点を検出する（ステップＳＴ１３）。本実施形態においてこの特徴点は、例えば図３に示す第２中手骨Ｂ２Ｌの中心点、両端点あるいは重心点等である。このような特徴点の特定は、例えば左手の第２中手骨と第１中手骨が含まれる領域をテンプレートとし、そのテンプレートにランドマークを付与し、変形により所定の特徴点となるランドマークを特定する手法や、テンプレートにモデル（骨の輪郭）を付与し、輪郭を変形して特徴点を特定する手法等を適用して行うことができる。
【００５３】
ここで、上記ランドマークを用いる手法について概略を説明する。例えば特徴点を中心点とする場合は、第２中手骨のテンプレートにランドマークとして中心点を定義し、テンプレートと計測対象画像Ｇ０との間で求められたシフトベクトルに基づいて中心点(１つの特定画素位置)を移動させることで特定できる。同様に、ランドマークとして両端点(別の特定画素位置)を定義すると、算出されたシフトベクトルに基づいて２つの画素位置が移動し、参照画像での第２中手骨の両端点となる。またランドマークとして、テンプレートの第２中手骨の輪郭線を定義すると、シフトベクトルにより輪郭線が移動変形し、参照画像の第２中手骨の輪郭線になる。ここから特徴点として重心点を求める場合は、この輪郭線(閉曲線)の重心を求める。
【００５４】
なお、上述のように左手の第２中手骨と第１中手骨が含まれる領域をテンプレートとするに当たっては、２つの中手骨どうしが所定角度（例えば２０°）以上の角度をなしていることに基づいて、第１中手骨および第２中手骨を認識するのが好ましい。これにより、この認識が極めて高い確率で正しく行われるようになる。
【００５５】
本実施形態においては、上述のようにして検出した特徴点に基づいて、計測領域（図３にハッチングを付して示す領域）を特定してもよいが、本実施形態では計測領域をより高精度で特定するために、第２中手骨Ｂ２Ｌの両端点を２つの特徴点として検出し、２つの特徴点に基づいて計測領域を特定するものとする。以下、この処理について説明する。
【００５６】
特徴点検出部５１は、ステップＳＴ１２で特定された第２中手骨Ｂ２Ｌにおいて、その両端を特徴点として検出する。この特徴点の検出は、例えば関節面の最も離れた点を検出することによって行われる。より具体的には、第２中手骨Ｂ２Ｌの形状を考慮して、指先側を凸形状とし手首側を凹形状とした関節面の標準的なモデルを適用し、その標準的なモデル形状を拘束（維持）しながら計測対象画像Ｇ０の関節に合うように変形させて、そのモデルと画像との対応関係を求めるモデルフィッティングの手法により、関節面の最も離れた２点、すなわち第２中手骨Ｂ２Ｌの両端を特徴点として検出する。ここで、検出した特徴点のうち、指先側の特徴点が遠位点Ｐｄ、手首側の特徴点が近位点Ｐｐとなる。なお、このモデルフィッティングの手法として具体的には、先に述べた多重解像度位置合わせによるモデルフィッティング等を適用することができる。
【００５７】
そして部位抽出部２２は、２つの特徴点Ｐｄ，Ｐｐの中間点である第２中手骨Ｂ２Ｌの中点を決定する（ステップＳＴ１４）。この中点は、図３に示す骨の長さ方向の中央線ＣＬを求めるためのものである。
【００５８】
計測領域特定部５２は、中点に基づいて、図３にハッチングを付して示す領域を計測領域として特定する（ステップＳＴ１５）。この特定は、例えば中点から骨の長さ方向の中央線ＣＬを求め、この中央線ＣＬから骨の両端側にそれぞれｈ／２０の領域を設定する等の手法により行われる。
【００５９】
図６に戻り、ステップＳＴ１が肯定されると、部位抽出部２２は第２の計測領域特定処理を行う（ステップＳＴ３）。以下、第２の計測領域特定処理について説明する。図８は第２の計測領域特定処理のフローチャートである。第２の計測領域特定処理においては、まず選択部５３が、記憶部２６に保存されている、撮影情報Ｓｃに含まれる被写体ＩＤと同一の被写体ＩＤと対応づけられた計測済み画像Ｇｆのうち、撮影日時が最新の計測済み画像Ｇｆおよび特徴点の位置の組をモデルとして選択する（ステップＳＴ２１）。
【００６０】
特徴点検出部５１は、選択したモデルを用いて、計測対象画像Ｇ０から上述したモデルフィッティングの手法を用いて、モデルと計測対象画像Ｇ０との対応関係を求めることにより、２つの特徴点を検出する（ステップＳＴ２２）。この際、計測済み画像Ｇｆの全体を用いたのでは、演算に時間を要することから、図９に示すように、計測済み画像Ｇｆにおける２つの特徴点Ｐｄ，Ｐｐを含む所定範囲の領域Ａ１を計測済み画像Ｇｆから切り出し、これをモデルとして用いるようにしてもよい。
【００６１】
次いで、部位抽出部２２は、第１の計測領域特定処理と同様に、２つの特徴点の中間点である第２中手骨Ｂ２Ｌの中点を決定する（ステップＳＴ２３）。計測領域特定部５２は、中点に基づいて、図３にハッチングを付して示す領域を計測領域として特定する（ステップＳＴ２４）。
【００６２】
なお、第２の計測領域特定処理において、演算時間を短縮するために、第１の計測領域特定処理と同様に、計測対象画像Ｇ０から左手を抽出し、さらに第２中手骨Ｂ２Ｌを特定した後に、モデルフィッティングの手法を用いて２つの特徴点を特定するようにしてもよい。
【００６３】
図６に戻り、部位抽出部２２は、検出した特徴点を計測対象画像Ｇ０についての計測後は計測済み画像Ｇｆおよび撮影情報Ｓｃに含まれる被写体ＩＤと対応づけて記憶部２６に保存し（ステップＳＴ４）、処理を終了する。
【００６４】
なお、検出した特徴点は、第２中手骨Ｂ２Ｌを含む左手の放射線画像とともに、さらには四角形等で規定したＲＯＩ（関心領域）とともに、表示部４０に表示するようにしてもよい。これにより、特徴点の検出が正しくなされているかどうかを確認することが可能になる。また、表示された特徴点を、図１の入力部３０からの指示に基づいて移動させたり、骨部の輪郭やＲＯＩを変形させたりするようにしてもよい。
【００６５】
このように、本実施形態においては、計測対象画像Ｇ０に含まれる被写体と同一の被写体についての計測済み画像Ｇｆおよび特徴点の位置の組をモデルとして選択し、計測対象画像Ｇ０とモデルとの対応関係をモデルフィッティングの手法により求め、この対応関係およびモデルに含まれる特徴点の位置に基づいて、計測対象画像Ｇ０における特徴点を検出するようにしたものである。このように、本実施形態によれば、計測対象画像Ｇ０に含まれる被写体と同一被写体のモデルを用いて特徴点を検出するようにしたため、過去の計測時と略同一の特徴点を検出でき、その結果、略同一の計測領域を再現性よく安定して特定できることとなる。したがって、同一被写体についての骨塩量の経時変化を診断するに際し、診断の精度を向上させることができる。
【００６６】
なお、上記実施形態においては、記憶部２６に保存された、同一被写体についての計測済み画像Ｇｆおよび特徴点の組のうち、撮影日時が最も新しい計測済み画像Ｇｆおよび特徴点の組を選択しているが、計測対象画像Ｇ０と最も類似する計測済み画像Ｇｆおよび特徴点の組をモデルとして選択してもよい。具体的には、計測対象画像Ｇ０と計測済み画像Ｇｆとの相関を類似度として算出し、類似度が最も大きい計測済み画像Ｇｆを、計測対象画像Ｇ０と最も類似する計測済み画像Ｇｆとして選択すればよい。
【００６７】
また、上記実施形態においては、計測対象画像Ｇ０に含まれる被写体についての過去の放射線画像（すなわち計測済み画像Ｇｆ）が記憶部２６に保存されていない場合には、標準的なモデルを用いて特徴点を検出しているが、記憶部２６に保存された、計測対象画像Ｇ０に含まれる被写体とは異なる被写体についての計測済み画像Ｇｆおよび特徴点の組のうち、計測対象画像Ｇ０と最も類似する計測済み画像Ｇｆおよび特徴点の組をモデルとして選択してもよい。
【００６８】
また、上記実施形態においては、第２中手骨Ｂ２Ｌの両端の点を特徴点として検出しているが、第２中手骨の中心点あるいは重心点を特徴点として検出し、これを計測済み画像Ｇｆと対応づけて保存しておくようにしてもよい。この場合、同一被写体についての計測済み画像Ｇｆおよび特徴点の組のモデルを用いることにより、計測対象画像Ｇ０から第２中手骨Ｂ２Ｌの中心点あるいは重心点が特徴点として検出されることとなる。
【００６９】
また、上記実施形態においては、左手の第２中手骨Ｂ２Ｌの中の計測領域を特定するようにしているが、右手の第２中手骨の中の計測領域を特定することも可能である。
【００７０】
さらに、本実施形態を、計測対象となる骨が第２中手骨以外の骨である場合にも適用可能である。すなわち、例えばテンプレート上の計測対象となる骨の部分に、中心点や両端点等のランドマークを定義しておけば、前述したような第１中手骨と第２中手骨との位置関係から、それらおよび他の指を正確に認識してランドマークを変形移動する等により、第２中手骨以外の計測対象となる骨を正しく特定可能となる。
【００７１】
また、上記実施形態においては、放射線検出器１１を用いて被写体の放射線画像を撮影する撮影装置１０において取得した放射線画像を用いて骨塩量を計測しているが、特開平８−２６６５２９号公報、特開平９−２４０３９号公報等に示される放射線検出体としての蓄積性蛍光体シートに被写体の放射線画像情報を蓄積記録し、蓄積性蛍光体シートから光電的に読み取ることにより取得した放射線画像を用いて骨塩量を計測するに際しても、本発明を適用できることはもちろんである。
【００７２】
また、以上説明したようにして、第１および第２の計測領域特定処理における第２中手骨を特定する手順と、第２中手骨における特徴点を検出する手順と、特徴点に基づいて計測領域を特定する手順とを有するプログラムをコンピュータ読取り可能な記録媒体に記録しておき、その記録媒体を用いて各手順をコンピュータに実行させることも可能である。
【符号の説明】
【００７３】
１０    撮影装置
１１    放射線検出器
１２    放射線管球
１３    撮影制御部
１４    撮影台
２０    信号処理部
２１    前処理部
２２    部位抽出部
２３    濃度分析部
２４    骨塩量計測部
２５    表示制御部
２６    記憶部
３０    入力部
４０    表示部
５０    骨特定部
５１    特徴点検出部
５２    計測領域特定部
５３    選択部
【図１】
2014054476.tif 000003
【図２】
2014054476.tif 000004
【図３】
2014054476.tif 000005
【図４】
2014054476.tif 000006
【図５】
2014054476.tif 000007
【図６】
2014054476.tif 000008
【図７】
2014054476.tif 000009
【図８】
2014054476.tif 000010
【図９】
2014054476.tif 000011